(57)【要約】【課題】誰でも容易に分解でき、また確実に組み立てることができ、単一のコマでも多彩な視覚効果を得ることが可能なコマ玩具を提供する。【解決手段】連結機構９の上連結体１０と下連結体１１との間に回転板２を挟持する。回転板２は視覚効果生成部８（例えば回転模様）が付された中間板７を含む。種々の仕様の視覚効果生成部８を有する複数の中間板７を択一的に用いる。上連結体１０の係合凸部２２を下連結体１１の係合凹部３１を嵌合させて、上連結体１０と下連結体１１の相対回転を規制する。係合凸部２２及び係合凹部３１に設けられた第１及び第２の永久磁石３３，３４間の磁気吸引力によって、係合凸部２２と係合凹部３１の嵌合状態を維持する。【選択図】図２
2011056124.tif 000002
【特許請求の範囲】
【請求項１】
回転に伴って視覚効果を生成する視覚効果生成部を有する回転板と、
前記回転板の上方に突出する上軸体と、
回転板の下方に突出する下軸体と、
前記上軸体と前記下軸体とを取り外し可能に連結する連結機構と、を備え、
前記連結機構は、互いに連結可能な上連結体および下連結体と、前記上連結体および前記下連結体の相対回転を規制する相対回転規制部と、前記上連結体および前記下連結体を前記下軸体の軸方向に近づける磁気吸引部と、を含み、
前記相対回転規制部は、前記上連結体および前記下連結体の何れか一方に設けられた係合凸部と、他方に設けられ前記係合凸部に嵌合する係合凹部と、を有し、
前記磁気吸引部は、前記係合凸部および前記係合凹部に、それぞれ、保持された一対の永久磁石を含むコマ玩具。
【請求項２】
請求項１において、前記回転板は、下板と、透明な上板と、前記下板および前記上板の間に択一的に挟持される複数の仕様の中間板と、を含み、
前記視覚効果生成部は、各仕様の中間板の上面にそれぞれ付された、形状、模様若しくは色彩又はこれらの組合せであることを特徴とするコマ玩具。
【請求項３】
請求項１において、前記回転板は、下板と、透明な上板と、前記視覚効果生成部としての複数種の色要素部材と、を含み、
前記色要素部材は、前記下板上に配列を変更できるように保持されていることを特徴とするコマ玩具。
【請求項４】
請求項２または３において、前記下板、前記下連結体および前記下軸体が一体に形成されていることを特徴とするコマ玩具。
【請求項５】
請求項２，３または４において、前記上連結体および前記上板が一体に形成されていることを特徴とするコマ玩具。
【請求項６】
請求項１から５の何れか１項において、前記上連結体は、被駆動ブロックを含み、
前記被駆動ブロックの外周には、ラックを有する駆動部材の直線運動によって回転駆動可能なピニオンが形成され、
前記上軸体として、手回し軸と、ラックガイド付きの手持ち軸と、が択一的に用いられ、
前記手回し軸は、前記被駆動ブロックに形成された嵌合孔に相対回転不能に嵌合可能であり、
前記手持ち軸は、前記嵌合孔に相対回転可能に嵌合可能であり、
前記ラックガイドと前記ピニオンとの間に、前記駆動部材の前記直線運動を案内する案内空間が形成されるようにしてあることを特徴とするコマ玩具。
【発明の詳細な説明】
【技術分野】
【０００１】
本発明は、コマ玩具に関する。
【背景技術】
【０００２】
従来より、コマ玩具は、子供の遊び道具としてポピュラーである。特に、自分でコマ玩具を回せるようになった幼児が興味を持つものの一つとして、コマ玩具が回ったときに表れる回転模様等がある。
また、ラックベルトの引き抜き動作により、強い回転力をコマ玩具に与えて発射するコマ玩具発射装置が種々提案されている（例えば特許文献１を参照）。
【先行技術文献】
【特許文献】
【０００３】
【特許文献１】特開２００３−１０３０６２号公報
【発明の開示】
【発明が解決しようとする課題】
【０００４】
しかしながら、コマ玩具の数が数種類程度では、変化に乏しいため、比較的に直ぐに飽きてしまう。
そこで、コマ玩具の回転板を上下から挟む一対の連結軸の一方に設けたねじを他方に設けたねじ孔にねじ嵌合して、回転板を固定するようにすることが考えられる。この場合、回転板を取り替えて、遊ぶことができる。
【０００５】
しかしながら、ねじを強く締め込んだ場合、今度分解するときに、容易に分解できなくなることがある。また、ねじの締め込みが弱いと、連結軸と回転体が相対回転してしまい、コマ玩具が上手く回らない。
本発明は前記課題に鑑みてなされたものであり、誰でも容易に分解でき、また確実に組み立てることができ、多彩な視覚効果を得ることが可能なコマ玩具を提供することを目的とする。
【課題を解決するための手段】
【０００６】
前記目的を達成するため、本発明は、回転に伴って視覚効果を生成する視覚効果生成部（８；４４〜４６；５３ａ〜５３ｄ，５４ａ〜５４ｄ，５５ａ〜５５ｄ，５６ａ〜５６ｄ）を有する回転板（２）と、前記回転板の上方に突出する上軸体（４；３９）と、回転板の下方に突出する下軸体（３）と、前記上軸体と前記下軸体とを取り外し可能に連結する連結機構（９）と、を備え、前記連結機構は、互いに連結可能な上連結体（１０）および下連結体（１１）と、前記上連結体および前記下連結体の相対回転を規制する相対回転規制部（２２，３１）と、前記上連結体および前記下連結体を前記下軸体の軸方向に近づける磁気吸引部（３３，３４）と、を含み、前記相対回転規制部は、前記上連結体および前記下連結体の何れか一方に設けられた係合凸部（２２）と、他方に設けられれ前記係合凸部に嵌合する係合凹部（３１）と、を有し、前記磁気吸引部は、前記係合凸部および前記係合凹部に、それぞれ、保持された一対の永久磁石（３３，３４）を含むコマ玩具を提供する。
【０００７】
本発明では、係合凸部および係合凹部を嵌合させることにより、上連結体と下連結体の相対回転を確実に規制することができる。また、係合凸部および係合凹部に設けられた一対の永久磁石間の磁気吸引力によって、係合凸部と係合凹部の嵌合状態を確実に維持することができる。すなわち、容易にコマ玩具のパーツを分解したり組み立てたりすることができ、且つその組立て状態を確実に保持することができる。したがって、視覚効果生成部の交換も容易となるので、多数のコマ玩具を所有せずとも、変化に富んだ視覚効果を容易に得ることができる。したがって、飽きがこない。特に、脳の発達段階にある幼児に対して、格段の興味を与えることができ、知育玩具として優れた効果を得ることができる。
【０００８】
また、前記回転板は、下板（５）と、透明な上板（６）と、前記下板および前記上板の間に択一的に挟持される複数の仕様の中間板（７）と、を含み、前記視覚効果生成部は、各仕様の中間板の上面（７ａ）にそれぞれ付された、形状、模様若しくは色彩又はこれらの組合せである場合がある（請求項２）。この場合、中間板として，例えば紙の表面に図柄や絵柄等を印刷したものを複数仕様、用意しておき、それらを択一的に用いることにより、異なった視覚効果を容易に得ることができる。
【０００９】
また、前記回転板は、下板（４７）と、透明な上板と、前記視覚効果生成部としての複数種の色要素部材（４４〜４６；５３ａ〜５３ｄ，５４ａ〜５４ｄ，５５ａ〜５５ｄ，５６ａ〜５６ｄ）と、を含み、前記色要素部材は、前記下板上に配列を変更できるように保持されている場合がある（請求項３）。この場合、互いに色の異なる色要素部材を並べ替えて配列を変更することで、予期しない格段の視覚効果を得ることが可能となる。色要素部材は、例えばジクソーパズルのような薄板片であってもよいし、また、下板上に設けられた突起に嵌合する嵌合孔を有する、例えばおはじき状のチップであってもよい。
【００１０】
また、前記下板、前記下連結体および前記下軸体が一体に形成されていてもよいし（請求項４）、また、前記上連結体および前記上板が一体に形成されていてもよい（請求項５）。これらの場合、部品点数を削減して製造コストを安くするとともに、組立て工数を削減して、組み立て易くすることができる点で非常に好ましい。
また、前記上連結体は、被駆動ブロック（２１）を含み、前記被駆動ブロックの外周には、ラック（２７）を有する駆動部材（２６）の直線運動によって回転駆動可能なピニオン（２８）が形成され、前記上軸体として、手回し軸（４）と、ラックガイド（３８）付きの手持ち軸（３９）と、が択一的に用いられ、前記手回し軸は、前記被駆動ブロックに形成された嵌合孔（２５）に相対回転不能に嵌合可能であり、前記手持ち軸は、前記嵌合孔に相対回転可能に嵌合可能であり、前記ラックガイドと前記ピニオンとの間に、前記駆動部材の前記直線運動を案内する案内空間（Ｓ１）が形成されるようにしてある場合がある（請求項６）。この場合、コマ玩具を手回し軸によっても駆動できるし、また、手回し軸よりも格段に強い回転力を与えることのできる駆動部材のラックによっても駆動できるので、使い勝手がよい。しかも、手回し軸とラックガイド付きの手持ち軸とを容易に交換して用いることができ、この点からも使い勝手がよい。
【００１１】
なお、前記において、括弧内の英数字は、後述の実施形態における対応構成要素の参照符号を表すものであるが、これらの参照符号により特許請求の範囲を限定する趣旨ではない。
【図面の簡単な説明】
【００１２】
【図１】本発明の一実施の形態のコマ玩具の斜視図である。
【図２】図１のコマ玩具の分解断面図である。
【図３】（ａ）および（ｂ）はそれぞれ視覚効果生成部の仕様の異なる中間板の斜視図である。
【図４】コマ玩具の断面図である。
【図５】図４の要部を拡大した断面図である。
【図６】駆動部材を用いる場合のコマ玩具の斜視図である。
【図７】図６のコマ玩具の分解斜視図である。
【図８】図６のコマ玩具の断面図である。
【図９】本発明の別の実施の形態のコマ玩具の斜視図である。
【図１０】図９のコマ玩具の分解斜視図である。
【図１１】本発明のさらに別の実施の形態のコマ玩具の斜視図である。
【図１２】図１１のコマ玩具の分解斜視図である。
【図１３】（ａ）および（ｂ）は、本発明のさらに別の実施の形態のコマ玩具の分解側面図である。（ａ）は手回し軸を用いる場合を示し、（ｂ）は駆動部材を用いる場合を示している。
【図１４】（ａ）、（ｂ）および（ｃ）は、図１３（ａ）の構成を図２、図１０および図１２の各実施形態に適用した例を示すコマ玩具の分解斜視図である。
【図１５】（ａ）、（ｂ）および（ｃ）は、図１３（ｂ）の構成を図２、図１０および図１２の各実施形態に適用した例を示すコマ玩具の分解斜視図である。
【図１６】（ａ）および（ｂ）は本発明のさらに別の実施の形態のコマ玩具の分解斜視図である。
【図１７】（ａ）および（ｂ）は本発明のさらに別の実施の形態のコマ玩具の分解斜視図である。
【発明を実施するための形態】
【００１３】
本発明の好ましい態様を添付図面を参照しつつ説明する。
図１は本発明の一実施の形態のコマ玩具の分解斜視図である。図１を参照して、本コマ玩具１は、回転板２と、回転板２の下方で回転板２の回転の支軸となる下軸体３と、回転板２の上方へ延び、回転板２を回転させるときに用いる上軸体としての手回し軸４とを主要部として備えている。
【００１４】
図２に示すように、回転板２は、環状の下板５と、透明な環状の上板６と、下板５と上板６の間に挟持される環状の中間板７とを有しており、その中間板７の上面７ａには、コマ玩具１の回転に伴って視覚効果を生成する視覚効果生成部８が設けられている。
中間板７は、紙製または合成樹脂製の環状シートであり、複数設けられている。各中間板７には、互いに仕様の異なる視覚効果生成部８が設けられている。遊戯者は、複数の仕様の中間板７から択一的に選択した中間板７を、下板５と上板６との間に挟持するように、コマ玩具１を組み立てて遊ぶ。
【００１５】
視覚効果生成部８は、中間板７の上面７ａに付された形状、模様若しくは色彩又はこれらの組合せである。視覚効果生成部８は、例えば図３（ａ）のようなモザイク模様であってもよいし、図３（ｂ）に示すような渦巻き模様であってもよい。中間板７が回転すると、回転方向に並ぶ色が溶け合い異なる色が浮かびあがる。例えば黄色と空色が溶け合うと緑色の光が反射されてくる。また、蛍光灯の光のもとで見ると、回転している模様が止まったり、逆回転したりする場合があり、多彩な視覚効果を得ることができる。中間板７の下面７ｂにも、視覚効果生成部８が設けられていてもよい。その場合、中間板７を裏返して、異なる視覚効果を得ることができるので、少ない中間板７の枚数で、多くの視覚効果を得ることができる。
【００１６】
コマ玩具１は、図２に示すように、回転板２の下板５、中間板７および上板６を、上下から挟持して連結する連結機構９を備えており、その連結機構９は、互いの間に回転板２を挟持するように互いに連結可能な上連結体１０と下連結体１１とを有している。上連結体１０には、上軸体としての手回し軸４が、離脱可能に連結されるようになっている。下連結体１１および下軸体３は、一体に形成された第１のユニットＵ１（回転軸ユニット）を構成しており、部品点数および組立て工数の削減が図られている。
【００１７】
上板６は、例えば六角孔からなる中心孔１２を有する環状をなしている。上板６の外周縁には、下方に延びる周壁１３が延設されている。また、上板６は、上面６ａおよび下面６ｂを有しており、その上面６ａには、中心孔１２と同心の環状突起１４が形成されている。上板６の上面６ａにおいて、環状突起１４内に上連結体１０を受ける環状の受け部１５が区画されている。下板５は、円孔からなる中心孔１６を有する環状をなしており、上面５ａおよび下面５ｂを有している。
【００１８】
中間板７は、円孔からなる中心孔１７を有する環状をなしている。下板５および中間板７は、中間板７が下板５よりも薄いことを除いて、同じ形状に形成されている。回転板２の組み立て状態では、下板５および中間板７の外周が、上板６の周壁１３の内周に嵌合または遊嵌されるようなっている。
手回し軸４の上端には、指を滑りにくくするための太径部１８が設けられており、手回し軸４の下端には、当該手回し軸４を上連結体１０と相対回転不能に連結するための連結部１９が設けられている。連結部１９の断面は、例えば六角形状その他の多角形形状、Ｄ形形状、または２面幅形状に形成されている。
【００１９】
図４および拡大図である図５に示すように、上連結体１０は、回転板２の上板６に係合する本体２０と、本体２０から上方へ延びる被駆動ブロック２１と、本体２０から下方へ延びる係合凸部２２とを有している。
本体２０は、上板６の中心孔１２に嵌合する六角形状の嵌合部２３と、上板６の上面６ａの環状突起１４内に遊嵌され、受け部１５によって受けられる環状板２４とを有している。本体２０の嵌合部２３が上板６の中心孔１２に嵌合することにより、本体２０および上連結体１０が同伴回転できるようになっている。
【００２０】
被駆動ブロック２１の上面には、手回し軸４の例えば六角断面の連結部１９を嵌合させる六角断面の嵌合孔２５が形成されている。被動ブロック２１の外周には、後述する駆動部材２６（図６〜図８を参照）のラック２７に係合する被動部材としてのピニオン２８が形成されている。すなわち、被駆動ブロック２１は、手回し軸４によっても駆動できるし、また、手回し軸４よりも格段に強い回転力を与えるための駆動部材２６のラック２７によっても駆動できるようになっている。
【００２１】
再び図５を参照して、第１のユニットＵ１（回転軸ユニット）の下連結体１１は、回転板２の下板５の下面５ｂを受ける環状の受け部２９と、受け部２９の径方向内方に設けられ、下板５の中心孔１６内に遊嵌される環状のボス３０とを有している。ボス３０には、上連結体１０の係合凸部２２が嵌合する係合凹部３１が形成されている。係合凹部３１は、係合凸部２２と同じ形状、例えば六角断面形状に形成されている。また、下連結体１１には、下軸体３が挿入固定される固定孔３２が形成されている。
【００２２】
また、上連結体１０および下連結体１１のそれぞれには、磁気吸引部として第１および第２の永久磁石３３，３４が内蔵されている。具体的には、手回し軸４が嵌合される上連結体１０の嵌合孔２５は、係合凸部２２内まで延びており、その嵌合孔２５の底に、第１の永久磁石３３が収容され保持されている。手回し軸４の下端と第１の永久磁石３３との間には、スペーサ３５が介在している。
【００２３】
また、下軸体３が挿入される固定孔３２の底に、第２の永久磁石３４が収容され保持されている。第１および第２の永久磁石３３，３４は、互いに反対の極性（Ｓ極に対してＮ極）を対向させており、これら第１および第２の永久磁石３３，３４の働きで、上連結体１０および下連結体１１が下軸体３の軸方向Ｘ１に強固に連結される。また、上連結体１０の係合凸部２２と下連結体１１の係合凹部３１との嵌合により、上連結体１０と下連結体１１の相対回転が規制されている。
【００２４】
図６および図７に示すように、駆動部材２６は、片側または両側にラック２７が形成された長尺の本体３６と、本体３６に一体に連結された指入れ環３７とを有している。駆動部材２６を用いてコマ玩具１を回転させるときは、手回し軸４を取り外して、ラックガイド３８付きの手持ち軸３９（上軸体に相当）を装着するようにしている。
図８に示すように、上軸体としての手持ち軸３９の下端には、例えば円柱状をなす連結部としての支軸１９Ａが、同軸上に延設されており、その支軸１９Ａが嵌合孔２５に相対回転可能に遊嵌されるようになっている。手持ち軸３９の上端には、指を滑り難くするために複数の縦方向の突起４０が周方向に並んで設けられている。
【００２５】
また、手持ち軸３９と支軸１９Ａとの間には、鍔部４１が形成されており、その鍔部４１からクランク状をなして前記のラックガイド３８が延設されている。そのラックガイド３８は、上連結体１０の被動ブロック２１のピニオン２８に径方向に間隔を隔てて対向する第１規制部４２と、上連結体１０の本体２０と間隔を隔てて対向する第２規制部４３とを有している。
【００２６】
ピニオン２８、本体２０、第１規制部４２および第２規制部４３によって、駆動部材２６の長尺の本体３６の移動を案内する案内空間Ｓ１が区画されている。案内空間Ｓ１内に、駆動部材２６の本体３６が挿通されて、ラック２７が上連結体１０のピニオン２８に噛み合わされた状態で、指入れ環３７に引っ掛けた指で駆動部材２６を長手方向に引っ張る（案内空間Ｓ１から引き抜く）ことにより、手持ち軸３９（すなわち支軸１９Ａ）の回りに、コマ玩具１が、勢い良く回転駆動される。回転駆動した後は、手持ち軸３９を上方へ引き抜くようにする。
【００２７】
本実施の形態によれば、連結機構９の係合凸部２２および係合凹部３１を嵌合させることにより、上連結体１０と下連結体１１の相対回転を確実に規制することができる。また、係合凸部２２および係合凹部３１に設けられた第１および第２の永久磁石３３，３４間の磁気吸引力によって、係合凸部２２と係合凹部３１の嵌合状態を確実に維持することができる。すなわち、コマ玩具１の分解、組立が容易であり、且つその組立て状態を確実に保持することができる。したがって、多数のコマ玩具を持たずとも、コマ玩具１の回転に伴う視覚効果を容易に変更することができ、変化に富んだ視覚効果を得ることができる。したがって、飽きがこない。特に、脳の発達段階にある幼児に対して、格段の興味を与えることができ、知育玩具として優れた効果を得ることができる。
【００２８】
特に、視覚効果生成部８の仕様の異なる複数の中間板７を択一的に用いることにより、異なった視覚効果を容易に得ることができる。
また、下連結体１１および下軸体３が一体に形成されているので、部品点数を削減して製造コストを安くできるとともに、組立て工数を削減して、組み立て易くすることができる点で非常に好ましい。
【００２９】
また、コマ玩具１は、手回し軸４によって駆動する利用形態と、手回し軸４よりも格段に強い回転力を与える駆動部材２６によって駆動する利用形態を選択できるようになっており、使い勝手がよい。駆動部材２６を用いた場合には、コマ玩具１を長時間回転させることができ、速度の変化に伴う視覚効果の変化を容易に体感することができる。
次いで、図９および図１０は本発明の別の実施の形態を示している。本実施の形態が図１および図２の実施の形態と主に異なるのは、視覚効果生成部として複数種の色要素部材４４，４５，４６を用い、これらの色要素部材４４，４５，４６を保持板としての下板４７上で配列を変更できるように保持した点にある。
【００３０】
保持板としての下板４７は、中心孔４８を有し、中心孔４８の周囲にボス４９が突出形成されている。また、下板４７の外周縁には、上方へ延びる周壁５０が延設されている。下板４７の上面４７ａには、ボス４９と周壁５０との間において、例えば円柱状の係合突起５１が多数設けられている。これらの係合突起５１は、中心孔４８を中心とする複数の同心円上にそれぞれ周方向に等間隔をあけて配置されている。図示していないが、下板４７の下面には、ボス４９の反対側において、下連結体１１の受け部２９が嵌合する嵌合凹部が設けられている。
【００３１】
色要素部材４４，４５，４６は環状をなすおはじき状のチップであり、係合突起５１に遊嵌する係合孔５２を中心孔として有している。色要素部材４４，４５，４６の少なくとも上面（全面であってもよい）の色としては、例えば、マゼンタ、シアン、イエローの三原色を用いることができる。図９および図１０の構成要素において、図１および図２の実施の形態と同じ構成要素には、同じ参照符号を付してある。
【００３２】
本実施の形態によれば、保持板としての下板４７上で色要素部材４４，４５，４６を並べ替えて配列を変更することで、コマ玩具１を回したときに、予期し得ない格段の視覚効果を得ることができる。
次いで、図１１および図１２は本発明の別の実施の形態を示している。本実施の形態が図９および図１０の実施の形態と主に異なるのは、下板４７の係合突起５１を廃止し、視覚効果生成部としての色要素部材を、中心孔４８を中心とする同心円状の第１の列５３、第２の列５４、第３の列５５および第４の列５６に配列し、各列５３〜５６において、周方向の任意の位置に配列可能な扇形状をなす色要素部材５３ａ〜５３ｄ，５４ａ〜５４ｄ，５５ａ〜５５ｄ，５６ａ〜５６ｄを設けた点にある。色要素部材の色としては、例えば、例えば、シアン、マゼンタ、イエロー、グリーンを用いることができる。
【００３３】
本実施の形態によれば、保持板としての下板４７上において、各列５３〜５６の色要素部材をそれぞれの同心円上でジクソーパズル状に並べ替えて配列を変更することにより、コマ玩具１を回したときに、予期し得ない格段の視覚効果を得ることができる。
本実施の形態は、前記各実施の形態に限定されるものではなく、例えば、図１３（ａ）および（ｂ）に示すように、下板５、下連結体１１および下軸体３が一体に形成された第２のユニットＵ２を構成し、上連結体１０および上板６が一体に形成された第３のユニットＵ３を構成していてもよい。下板５の上面に視覚効果生成部（図示せず）が設けられる。本実施の形態では、部品点数の削減を通じてコマ玩具１の製造コストを安くすることができ、また、組立て工数の削減を通じてコマ玩具１を組み立て易くすることができる。
【００３４】
図１３（ａ）および（ｂ）のユニット化を図２、図１０および図１２の実施の形態にそれぞれ適用した例を、図１４（ａ）、図１４（ｂ）および図１４（ｃ）、並びに図１５（ａ）、図１５（ｂ）および図１５（ｃ）に示す。
また、図１６（ａ）および（ｂ）に示すように、保持板としての下板に、ＣＤ５００その他の光ディスクを用いてもよい。この場合、ＣＤ５００等の光反射面５０１（視覚効果生成部に相当）からの反射光によって、優れた視覚効果を得ることができる。特に、光反射面５０１に蛍光灯などからの光を反射しながら行えば、より変化に富んだ視覚効果を得ることができる。また、図３（ａ）、（ｂ）の中間板７に付した模様等を、ＣＤ５００の表面に付して視覚効果生成部８（図示せず）を設けるようにしてもよい。
【００３５】
また、ＣＤ５００その他の光ディスクを用いる場合に、図１６（ａ）および（ｂ）に示す上板６を廃止し、図１７（ａ）および（ｂ）に示すように、回転板２をＣＤ５００等の光ディスクのみで構成するとともに、スペーサとしての環状板６００を用いてもよい。環状板６００は、上連結体１０の係合凸部２２に嵌合する例えば六角孔からなる中心孔１２０を有している。
【００３６】
図１７（ａ）および（ｂ）の実施の形態では、図１〜図５の実施の形態や、図６〜図８の実施の形態や、図９および図１０の実施の形態や、図１１および図１２の実施の形態のように上板６を用いる各実施の形態と同じ上連結体１０を用いることができ、部品の共通化を通じて、製造コストを安くすることが可能である。
その他、本発明の特許請求の範囲内で種々の変更を施すことができる。
【符号の説明】
【００３７】
１…コマ玩具、２…回転板、３…下軸体、４…手回し軸（上軸体）、５…下板（保持板）、５ａ…上面、５ｂ…下面、６…上板、６ａ…上面、６ｂ…下面、７…中間板、７ａ…上面、７ｂ…下面、８…視覚効果生成部、９…連結機構、１０…上連結体、１１…下連結体、１２…中心孔、１３…周壁、１４…環状突起、１５…受け部、１６…中心孔、１７…中心孔、１８…太径部、１９…連結部、１９Ａ…支軸（連結部）、２０…本体、２１…被駆動ブロック、２２…係合凸部（相対回転規制部）、２３…嵌合部、２４…環状板、２５…嵌合孔、２６…駆動部材、２７…ラック、２８…ピニオン、２９…受け部、３０…ボス、３１…係合凹部（相対回転規制部）、３２…固定孔、３３…第１の永久磁石、３４…第２の永久磁石、３５…スペーサ、３６…本体、３７…指入れ環、３８…ラックガイド、３９…手持ち軸（上軸体）、４０…突起、４１…鍔部、４２…第１規制部、４３…第２規制部、４４〜４６…色要素部材（視覚効果生成部）、４７…下板（保持板）、４７ａ…上面、４８…中心孔、４９…ボス、５０…周壁、５１…係合突起、５２…係合孔、５３〜５６…列、５３ａ〜５３ｄ，５４ａ〜５４ｄ，５５ａ〜５５ｄ，５６ａ〜５６ｄ…色要素部材（視覚効果生成部）、１２０…中心孔、５００…ＣＤ（光ディスク）、５０１…光反射面（視覚効果生成部）、６００…環状板（スペーサ）、Ｘ１…軸方向、Ｕ１…第１のユニット、Ｕ２…第２のユニット、Ｕ３…第３のユニット、Ｓ１…案内空間
【図１】
2011056124.tif 000003
【図２】
2011056124.tif 000004
【図３】
2011056124.tif 000005
【図４】
2011056124.tif 000006
【図５】
2011056124.tif 000007
【図６】
2011056124.tif 000008
【図７】
2011056124.tif 000009
【図８】
2011056124.tif 000010
【図９】
2011056124.tif 000011
【図１０】
2011056124.tif 000012
【図１１】
2011056124.tif 000013
【図１２】
2011056124.tif 000014
【図１３】
2011056124.tif 000015
【図１４】
2011056124.tif 000016
【図１５】
2011056124.tif 000017
【図１６】
2011056124.tif 000018
【図１７】
2011056124.tif 000019